(57)【要約】【課題】  簡単な構成で自動利得制御の誤動作を防止することが可能な送信信号生成装置、無線基地局、自動利得制御方法および無線信号送信方法を提供する。【解決手段】  ベースバンド信号発生部８はベースバンド信号の振幅を示すベースバンド振幅データＳ８を比較制御部１６に出力する。検波部１４はベースバンド信号に応じて変調された送信信号Ｓ５を検波し、検波電圧Ｓ６をＡ／Ｄ部１５を介して比較制御部１６に出力する。比較制御部１６は、送信電力データＳ７とベースバンド振幅データＳ８とに基づき可変減衰器１１の利得を制御する。また、比較制御部１６は、送信電力データＳ７とベースバンド振幅データＳ８とに基づいて送信信号Ｓ５がバースト信号であるか否かを判定する。比較制御部１６は、送信信号Ｓ５がバースト信号であると判定した際には、可変減衰器１１の利得を固定する。【選択図】      図２
2005236766.tif 000002
【特許請求の範囲】
【請求項１】
ベースバンド信号を生成するベースバンド信号生成部と、
前記ベースバンド信号生成部によって生成されたベースバンド信号に応じた変調信号を出力する変調部と、
前記変調部から出力された変調信号のレベルを調整し、レベルを調整した変調信号を送信信号として出力する可変利得部と、
前記可変利得部から出力された送信信号のレベルを検出する検波部と、
前記検波部によって検出された送信信号のレベルと前記ベースバンド信号生成部によって生成されたベースバンド信号のレベルとの割合が所定の範囲に収まるように、前記可変利得部の利得を制御する制御部とを含む送信信号生成装置において、
前記制御部は、前記検波部によって検出された送信信号のレベルと前記ベースバンド信号生成部によって生成されたベースバンド信号のレベルとに基づいて前記送信信号がバースト信号であるか否かを判定し、前記送信信号がバースト信号であると判定した際には、前記可変利得部の利得を固定することを特徴とする送信信号生成装置。
【請求項２】
請求項１に記載の送信信号生成装置において、
前記制御部は、
前記検波部によって検出された送信信号のレベルと前記ベースバンド信号生成部によって生成されたベースバンド信号のレベルとの差に応じた比較値を出力する比較部と、
所定の期間内に前記比較部から出力された比較値を格納する第１の格納部と、
前記所定の期間より前の期間内に前記比較部から出力された比較値を格納する第２の格納部と、
前記第１の格納部に格納された比較値と前記第２の格納部に格納された比較値とに基づいて前記送信信号がバースト信号であるか否かを判定し、前記送信信号がバースト信号であると判定した際には、前記可変利得部の利得を前記第２の格納部に格納された比較値に応じた値に固定する制御器とを含む、送信信号生成装置。
【請求項３】
請求項２に記載の送信信号生成装置において、
前記制御器は、前記第１の格納部に格納された比較値と前記第２の格納部に格納された比較値との差が所定の値を超えている場合に前記送信信号がバースト信号であると判定する、送信信号生成装置。
【請求項４】
請求項２または３に記載の送信信号生成装置において、
前記制御器は、前記送信信号がバースト信号であると判定した際には、前記第２の格納部に格納された比較値を維持する、送信信号生成装置。
【請求項５】
請求項１ないし４のいずれか１項に記載の送信信号装置において、
周囲の温度を検出する温度検出部をさらに含み、
前記制御部は、前記温度検出部によって検出された温度に応じて前記検波部によって検出された送信信号のレベルを調整し、レベルを調整した送信信号のレベルと前記ベースバンド信号生成部によって生成されたベースバンド信号のレベルとに基づいて前記送信信号がバースト信号であるか否かを判定する、送信信号生成装置。
【請求項６】
請求項１ないし５のいずれか１項に記載の送信信号生成装置と、
前記送信信号生成装置から出力された送信信号に応じた無線信号を送信する無線信号送信部とを含む、無線基地局。
【請求項７】
ベースバンド信号を生成するベースバンド信号生成ステップと、
前記ベースバンド信号生成ステップで生成されたベースバンド信号に応じた変調信号を出力する変調ステップと、
可変利得部が前記変調ステップで出力された変調信号のレベルを調整しレベルを調整した変調信号を送信信号として出力する送信信号出力ステップと、
前記送信信号出力ステップで出力された送信信号のレベルを検出する検波ステップと、
前記検波ステップで検出された送信信号のレベルと前記ベースバンド信号生成ステップで生成されたベースバンド信号のレベルとの割合が所定の範囲に収まるように、前記可変利得部の利得を制御する制御ステップとを含む自動利得制御方法において、
前記制御ステップは、前記検波ステップで検出された送信信号のレベルと前記ベースバンド信号生成ステップで生成されたベースバンド信号のレベルとに基づいて前記送信信号がバースト信号であるか否かを判定し、前記送信信号がバースト信号であると判定した際には、前記可変利得部の利得を固定することを特徴とする自動利得制御方法。
【請求項８】
請求項７に記載の自動利得制御方法において、
前記制御ステップは、
前記検波ステップで検出された送信信号のレベルと前記ベースバンド信号生成ステップで生成されたベースバンド信号のレベルとの差に応じた比較値を出力する比較ステップと、
所定の期間内に前記比較ステップで出力された比較値を第１の格納部に格納する第１の格納ステップと、
前記所定の期間より前の期間内に前記比較ステップで出力された比較値を第２の格納部に格納する第２の格納ステップと、
前記第１の格納部に格納された比較値と前記第２の格納部に格納された比較値とに基づいて前記送信信号がバースト信号であるか否かを判定し、前記送信信号がバースト信号であると判定した際には、前記可変利得部の利得を前記第２の格納部に格納された比較値に応じた値に固定する利得制御ステップとを含む、自動利得制御方法。
【請求項９】
請求項８に記載の自動利得制御方法において、
前記利得制御ステップは、前記第１の格納部に格納された比較値と前記第２の格納部に格納された比較値との差が所定の値を超えている場合に前記送信信号がバースト信号であると判定する、自動利得制御方法。
【請求項１０】
請求項８または９に記載の自動利得制御方法において、
前記利得制御ステップは、前記送信信号がバースト信号であると決定した際には、前記第２の格納部に格納された比較値を維持する、自動利得制御方法。
【請求項１１】
請求項７ないし１０のいずれか１項に記載の自動利得制御方法において、
周囲の温度を検出する温度検出ステップをさらに含み、
前記制御ステップは、前記温度検出ステップで検出された温度に応じて前記検波ステップで検出された送信信号のレベルを調整し、レベルを調整した送信信号のレベルと前記ベースバンド信号生成部によって生成されたベースバンド信号のレベルとに基づいて前記送信信号がバースト信号であるか否かを判定する、自動利得制御方法。
【請求項１２】
請求項７ないし１１のいずれか１項に記載の自動利得制御方法と、
前記送信信号出力ステップで出力された送信信号に応じた無線信号を送信する無線信号送信ステップとを含む、無線信号送信方法。
【発明の詳細な説明】
【技術分野】
【０００１】
本発明は、送信信号生成装置、無線基地局、自動利得制御方法および無線信号送信方法に関し、特には、自動利得制御を行う送信信号生成装置、無線基地局、自動利得制御方法および無線信号送信方法に関する。
【背景技術】
【０００２】
現在、無線信号を利用した移動体通信システムが普及している。図１４は、移動体通信システムの概略構成を示したブロック図である。図１４に示すように、移動体通信システムは、基地局無線装置１が移動端末局５と無線通信を行うことで移動端末局５のユーザに種々のサービスを提供する。
【０００３】
基地局無線装置１は、ベースバンド信号に応じて変調された送信信号を生成する送信信号生成装置と、送信信号に応じた無線信号を送信する送信増幅装置とを含む。
【０００４】
送信信号生成装置は、例えば、送信信号生成装置内の回路の経時変化に起因する送信信号生成装置の入出力特性の変化を防止するために、送信信号の振幅（レベル）を調整する可変減衰器の利得を自動的に調整する自動利得制御を行う。
【０００５】
送信信号生成装置によって行われる自動利得制御は、具体的には、ベースバンド信号の振幅と、ベースバンド信号に基づいて変調されかつ可変減衰器によって減衰量が制御された送信信号を検波器によって検波した際に得られる検波信号の振幅とを、比較器で比較し、比較器の比較結果に基づいて可変減衰器の減衰量を自動的に調整する制御である。
【０００６】
送信信号の検波信号を出力する検波器は、ダイオードとコンデンサを含み、送信信号の送信電力の値（レベル）を平均化した値を検波信号として出力する。
【０００７】
一方、移動体通信システムによって提供されるサービスは多様化している。例えば、移動体通信システムは、音声のみのサービスだけでなく、高速通信のデータ通信サービスも提供するようになっている。現在、高速通信で用いられている通信方式として、パケット通信方式が多く用いられている。
【０００８】
例えば、ＣＤＭＡ（Code Division Multiple Access）方式の移動体通信システムの基地局無線装置では、パケット通信を行う場合、データを細かく分割し、回線容量の空き具合に応じて伝送速度を可変してパケット通信を行う。一般に、伝送速度を速くする場合、通信品質を維持するためにベースバンド信号の振幅を上げる必要がある。したがって、基地局無線装置がパケット通信を行う場合、急激にベースバンド信号の振幅が変化する可能性が生じる。
【０００９】
急激にベースバンド信号の振幅が変化する場合、ベースバンド信号に応じて変調された送信信号は、その送信電力が瞬間的に増減するバースト状の信号（以下「バースト信号」と称する。）となる。
【００１０】
また、基地局無線装置は、パケット通信を行っているときにベースバンド信号の振幅を大きくし、パケット通信を行っていないときにベースバンド信号の振幅を小さくする。このため、パケット通信を行うことが可能な基地局無線装置は、ベースバンド信号に応じて変調された送信信号として、送信信号の送信電力が増減するバースト信号（間欠信号）を発生する場合がある。
【００１１】
したがって、高速通信のデータ通信サービスに対応する無線基地局装置は、自動利得制御を行いつつ、バースト信号を送信することになる。なお、無線基地局装置は、音声を送信する場合、パケット通信よりも速度が遅くかつ一定の伝送速度で音声信号（非バースト信号）を送信する。
【００１２】
特許文献１（特開平５−３１５９７８号公報）には、バースト信号入力に対して安定した動作が行える自動利得制御回路が記載されている。具体的には、可変減衰器への入力信号（バースト信号）を検波する入力検波回路と、可変減衰器の出力信号（バースト信号）を検波する出力検波回路と、入力信号の断を検出する検出部とが備えられ、入力信号の断の期間、可変減衰器の減衰量を、入力信号が断と検出される直前の減衰量に固定する自動利得制御回路が記載されている。
【００１３】
また、特許文献２（特開平１１−２０５２７８号公報）には、バースト信号を検出した際に自動利得制御回路の制御利得を保持するＯＦＤＭ（Orthogonal Frequency Division Multiplexing）復調器が記載されている。具体的には、自動利得制御回路の制御利得がバースト信号の前に送信されるＡＧＣ用プリアンブル信号を用いて設定されるＯＦＤＭ復調器が特許文献２に記載されている。
【特許文献１】特開平５−３１５９７８号公報
【特許文献２】特開平１１−２０５２７８号公報
【発明の開示】
【発明が解決しようとする課題】
【００１４】
基地局無線装置がバースト信号と非バースト信号とを送信可能な場合、送信信号がバースト信号のときに検波器が出力する検波信号の値（出力レベル）は、送信信号が非バースト信号（例えば、連続信号）のときに検波器が出力する検波信号の値（出力レベル）より小さくなってしまう。これは、バースト信号を検波する際、検波器が、送信信号に信号が存在するとき（例えば、高振幅の信号が存在するとき）の送信信号の電力と送信信号に信号が存在しないとき（例えば、信号オフのときまたは低振幅の信号が存在するとき）の送信信号の電力とを平均化した値を出力してしまうためである。
【００１５】
図１５は、基地局無線装置がバースト送信（バースト信号を送信）しているときの検波器の入出力特性１００と、基地局無線装置が連続送信（連続信号を送信）しているときの検波器の入出力特性２００との一例を示した説明図である。なお、図１５において、横軸ｘは送信信号（ｄＢｍ）を示し、縦軸ｙは検波器の出力（検波電圧（Ｖ））を示している。
【００１６】
図１５に示すように、同じ信号（以下「所定の信号」と称する。）が送信される場合でも、所定の信号がバースト送信された際に検波器で検出される検波電圧は、所定の信号が連続送信信された際に検波器で検出される検波電圧より小さくなる。
【００１７】
一方、ベースバンド信号の振幅は、送信信号の中で信号が存在している部分（例えば、送信信号の中で高振幅の信号部分）を対象に検出される。
【００１８】
したがって、ベースバンド信号の振幅と検波器の出力とに基づいて自動利得制御を行う基地局無線装置では、送信信号がバースト信号であるか否かにより、検波器の出力が変化してしまうため、例えば、送信信号が非バースト信号である場合を想定して自動利得制御の設定がなされている場合、送信信号がバースト信号であると、検波器が誤検出することになり、自動利得制御が正確になされなくなるという問題が生じてしまう。
【００１９】
特許文献１に記載の自動利得制御回路は、ベースバンド信号と検波信号とを比較せずに、可変減衰器への入力信号（バースト信号）の検波信号と、可変減衰器の出力信号（バースト信号）の検波信号とを比較している。特許文献１に記載の自動利得制御回路は、検波信号同士を比較しているため、送信信号がバースト信号であっても非バースト信号であっても検波器の検波誤差は相殺され、自動利得制御の誤動作は発生しなくなる。
【００２０】
しかしながら、特許文献１に記載の自動利得制御回路では、可変減衰器への入力信号（バースト信号）を検波するための入力検波回路が必要となり、構成が複雑になってしまう。
【００２１】
また、特許文献２に記載のＯＦＤＭ復調器は、自動利得制御回路の制御利得を行うためのＡＧＣ用プリアンブル信号を用いなければならない。このため、ＡＧＣ用プリアンブル信号を検出するための構成が必要となり、構成が複雑になってしまう。
【００２２】
本発明の目的は、簡単な構成で自動利得制御の誤動作を防止することが可能な送信信号生成装置、無線基地局、自動利得制御方法および無線信号送信方法を提供することである。
【課題を解決するための手段】
【００２３】
上記の目的を達成するために、本発明の送信信号生成装置は、ベースバンド信号を生成するベースバンド信号生成部と、前記ベースバンド信号生成部によって生成されたベースバンド信号に応じた変調信号を出力する変調部と、前記変調部から出力された変調信号のレベルを調整し、レベルを調整した変調信号を送信信号として出力する可変利得部と、前記可変利得部から出力された送信信号のレベルを検出する検波部と、前記検波部によって検出された送信信号のレベルと前記ベースバンド信号生成部によって生成されたベースバンド信号のレベルとの割合が所定の範囲に収まるように、前記可変利得部の利得を制御する制御部とを含む送信信号生成装置において、前記制御部は、前記検波部によって検出された送信信号のレベルと前記ベースバンド信号生成部によって生成されたベースバンド信号のレベルとに基づいて前記送信信号がバースト信号であるか否かを判定し、前記送信信号がバースト信号であると判定した際には、前記可変利得部の利得を固定することを特徴とする。
【００２４】
また、本発明の自動利得制御方法は、ベースバンド信号を生成するベースバンド信号生成ステップと、前記ベースバンド信号生成ステップで生成されたベースバンド信号に応じた変調信号を出力する変調ステップと、可変利得部が、前記変調ステップで出力された変調信号のレベルを調整しレベルを調整した変調信号を送信信号として出力する送信信号出力ステップと、前記送信信号出力ステップで出力された送信信号のレベルを検出する検波ステップと、前記検波ステップで検出された送信信号のレベルと前記ベースバンド信号生成ステップで生成されたベースバンド信号のレベルとの割合が所定の範囲に収まるように、前記可変利得部の利得を制御する制御ステップとを含む自動利得制御方法において、前記制御ステップは、前記検波ステップで検出された送信信号のレベルと前記ベースバンド信号生成ステップで生成されたベースバンド信号のレベルとに基づいて前記送信信号がバースト信号であるか否かを判定し、前記送信信号がバースト信号であると判定した際には、前記可変利得部の利得を固定することを特徴とする。
【００２５】
上記の発明によれば、検波部によって検出された送信信号のレベルとベースバンド信号生成部によって生成されたベースバンド信号のレベルとに基づいて送信信号がバースト信号であるか否かが判定され、送信信号がバースト信号であると判定された際には、可変利得部の利得が固定される。
【００２６】
送信信号がバースト信号であっても上記の発明によれば、送信信号がバースト信号であると判定された際には、可変利得部の利得が固定されるので、バースト信号に応じて利得が制御されることがなくなり、これに起因する可変利得部の利得の異常を少なくすることが可能になる。
【００２７】
また、送信信号がバースト信号であるか否かの判定は、検波部によって検出された送信信号のレベルとベースバンド信号生成部によって生成されたベースバンド信号のレベルとに基づいて行われる。検波部によって検出された送信信号のレベルとベースバンド信号生成部によって生成されたベースバンド信号のレベルとは、可変利得部の利得を制御する際に用いられる情報である。このため、可変利得部の利得を制御する際に用いる情報を、送信信号がバースト信号であるか否かの判定を行う際にも用いることができ、情報の兼用化が図れる。
【００２８】
また、可変利得部の利得は、検波部によって検出された送信信号のレベルとベースバンド信号生成部によって生成されたベースバンド信号のレベルとに基づいて制御される。このため、可変利得器への入力信号（バースト信号）を検波するための入力検波回路を用いる必要性がなく、構成の簡略化が図れる。また、自動利得制御回路の制御利得を行うためのＡＧＣ用プリアンブル信号を用いていないので、ＡＧＣ用プリアンブル信号を検出するための構成を用いる必要性がなく、構成の簡略化が図れる。
【００２９】
また、上記送信信号生成装置において、前記制御部は、前記検波部によって検出された送信信号のレベルと前記ベースバンド信号生成部によって生成されたベースバンド信号のレベルとの差に応じた比較値を出力する比較部と、所定の期間内に前記比較部から出力された比較値を格納する第１の格納部と、前記所定の期間より前の期間内に前記比較部から出力された比較値を格納する第２の格納部と、前記第１の格納部に格納された比較値と前記第２の格納部に格納された比較値とに基づいて前記送信信号がバースト信号であるか否かを判定し、前記送信信号がバースト信号であると判定した際には、前記可変利得部の利得を前記第２の格納部に格納された比較値に応じた値に固定する制御器とを含むことが望ましい。
【００３０】
また、上記自動利得制御方法において、前記制御ステップは、前記検波ステップで検出された送信信号のレベルと前記ベースバンド信号生成ステップで生成されたベースバンド信号のレベルとの差に応じた比較値を出力する比較ステップと、所定の期間内に前記比較ステップで出力された比較値を第１の格納部に格納する第１の格納ステップと、前記所定の期間より前の期間内に前記比較ステップで出力された比較値を第２の格納部に格納する第２の格納ステップと、前記第１の格納部に格納された比較値と前記第２の格納部に格納された比較値とに基づいて前記送信信号がバースト信号であるか否かを判定し、前記送信信号がバースト信号であると判定した際には、前記可変利得部の利得を前記第２の格納部に格納された比較値に応じた値に固定する利得制御ステップとを含むことが望ましい。
【００３１】
上記の発明によれば、送信信号がバースト信号であると判定された際には、可変利得部の利得は第２の格納部に格納された比較値に応じた値に固定される。
【００３２】
第２の格納部に格納された比較値は、送信信号がバースト信号であると決定される前に比較部から出力されたものである。比較部は、検波部によって検出された送信信号のレベルとベースバンド信号生成部によって生成されたベースバンド信号のレベルとの差に応じた比較値を出力する。このため、送信信号がバースト信号であると判定された際に設定される可変利得部の利得は、検波器が誤検出する前に比較部が出力した比較値に応じた値に設定され、検出器の誤検出の影響を受けることを防止することが可能となる。
【００３３】
また、上記送信信号生成装置において、前記制御器は、前記第１の格納部に格納された比較値と前記第２の格納部に格納された比較値との差が所定の値を超えている場合に前記送信信号がバースト信号であると判定することが望ましい。
【００３４】
また、上記自動利得制御方法において、前記利得制御ステップは、前記第１の格納部に格納された比較値と前記第２の格納部に格納された比較値との差が所定の値を超えている場合に前記送信信号がバースト信号であると決定することが望ましい。
【００３５】
上記の発明によれば、バースト信号を高い精度で検出することが可能となる。
【００３６】
また、上記送信信号生成装置において、前記制御器は、前記送信信号がバースト信号であると判定した際には、前記第２の格納部に格納された比較値を維持することが望ましい。
【００３７】
また、上記自動利得制御方法において、前記利得制御ステップは、前記送信信号がバースト信号であると判定した際には、前記第２の格納部に格納された比較値を維持することが望ましい。
【００３８】
上記の発明によれば、送信信号がバースト信号であると判定された際には、第２の格納部に格納された比較値が維持される。送信信号がバースト信号であると決定された際には、第２の格納部に格納された比較値は、送信信号がバースト信号であると決定される前に比較部から出力されたものである。このため、送信信号がバースト信号であると判定された際に設定される可変利得部の利得が検出器の誤検出の影響を受けることを防止することができる。
【００３９】
また、上記送信信号装置において、周囲の温度を検出する温度検出部をさらに含み、前記制御部は、前記温度検出部によって検出された温度に応じて前記検波部によって検出された送信信号のレベルを調整し、レベルを調整した送信信号のレベルと前記ベースバンド信号生成部によって生成されたベースバンド信号のレベルとに基づいて前記送信信号がバースト信号であるか否かを判定することが望ましい。
【００４０】
また、上記自動利得制御方法において、周囲の温度を検出する温度検出ステップをさらに含み、前記制御ステップは、前記温度検出ステップで検出された温度に応じて前記検波ステップで検出された送信信号のレベルを調整し、レベルを調整した送信信号のレベルと前記ベースバンド信号生成部によって生成されたベースバンド信号のレベルとに基づいて前記送信信号がバースト信号であるか否かを判定することが望ましい。
【００４１】
上記の発明によれば、温度検出部によって検出された温度に応じて検波部によって検出された送信信号のレベルが調整され、レベルが調整された送信信号のレベルとベースバンド信号生成部によって生成されたベースバンド信号のレベルとに基づいて送信信号がバースト信号であるか否かが判定される。
【００４２】
検波部によって検出された送信信号のレベルは、例えば、可変利得部の温度特性または検波部の温度特性によって変動する可能性がある。上記の発明では、温度検出部によって検出された温度に応じて検波部によって検出された送信信号のレベルが調整されるため、可変利得部の温度特性または検波部の温度特性に応じたレベルの変動分を補正することが可能となる。したがって、可変利得部の利得制御の精度を向上させることが可能となる。
【００４３】
また、本発明の無線基地局は、上記送信信号生成装置と、前記送信信号生成装置から出力された送信信号に応じた無線信号を送信する無線信号送信部とを含む。
【００４４】
また、本発明の無線信号送信方法は、上記自動利得制御方法と、前記送信信号出力ステップで出力された送信信号に応じた無線信号を送信する無線信号送信ステップとを含む。
【００４５】
上記の発明によれば、無線基地局において、簡単な構成で自動利得制御の誤動作を防止することが可能となる。
【発明の効果】
【００４６】
本発明によれば、検波部によって検出された送信信号のレベルとベースバンド信号生成部によって生成されたベースバンド信号のレベルとに基づいて送信信号がバースト信号であるか否かが判定され、送信信号がバースト信号であると判定された際には、可変利得部の利得が固定される。
【００４７】
送信信号がバースト信号であっても上記の発明によれば、送信信号がバースト信号であると判定された際には、可変利得部の利得が固定されるので、バースト信号に応じて利得が制御されることがなくなり、これに起因する可変利得部の利得の異常を少なくすることが可能になる。
【００４８】
また、送信信号がバースト信号であるか否かの判定は、検波部によって検出された送信信号のレベルとベースバンド信号生成部によって生成されたベースバンド信号のレベルとに基づいて行われる。検波部によって検出された送信信号のレベルとベースバンド信号生成部によって生成されたベースバンド信号のレベルとは、可変利得部の利得を制御する際に用いられる情報である。このため、可変利得部の利得を制御する際に用いる情報を、送信信号がバースト信号であるか否かの判定を行う際にも用いることができ、情報の兼用化が図れる。
【００４９】
また、可変利得部の利得は、検波部によって検出された送信信号のレベルとベースバンド信号生成部によって生成されたベースバンド信号のレベルとに基づいて制御される。このため、可変利得器への入力信号（バースト信号）を検波するための入力検波回路を用いる必要性がなく、構成の簡略化が図れる。また、自動利得制御回路の制御利得を行うためのＡＧＣ用プリアンブル信号を用いていないので、ＡＧＣ用プリアンブル信号を検出するための構成を用いる必要性がなく、構成の簡略化が図れる。
【発明を実施するための最良の形態】
【００５０】
以下、本発明の一実施例を図面を参照して説明する。
【００５１】
図１は、本発明の一実施例の無線基地局としての基地局無線装置１を示したブロック図である。
【００５２】
図１において、基地局無線装置１は、例えば、ＣＤＭＡ方式を用いた移動体通信システムの基地局無線装置である。基地局無線装置１は、送信信号生成装置２と、送信増幅装置３と、アンテナ４とを含む。
【００５３】
送信信号生成装置２は、移動端末局５へ送信する送信データＳ１６に基づいてベースバンド信号を生成し、さらに、生成したベースバンド信号に応じた変調信号を生成し、さらに、生成した変調信号を増幅する。送信信号生成装置２は、増幅した変調信号を送信信号Ｓ５として出力する。
【００５４】
無線信号送信部としての送信増幅装置３は、送信信号Ｓ５を入力とし、送信信号Ｓ５を送信に必要な電力まで増幅する。送信増幅装置３は、増幅した送信信号Ｓ５を送信出力Ｓ１としてアンテナ４に出力し、送信出力Ｓ１に応じた無線信号をアンテナ４から送信させる。
【００５５】
なお、図１に示した基地局無線装置１は、下り送信に必要な構成要素のみを示している。実際の基地局無線装置１は、図１に示した構成に加えて、移動端末局５から無線信号を受信し、受信信号から移動端末局５ごとの受信データを再生する受信装置と、移動端末局５ごとの通信状態の監視等を行う信号処理部と、各移動端末局５の位置を管理するとともに複数の基地局無線装置１を介して移動端末局５とネットワーク間の通信を中継する無線ネットワーク制御装置とのインタフェースである通信インタフェース装置等を備えている。
【００５６】
図２は、本発明の一実施例の送信信号生成装置２を示したブロック図である。
【００５７】
図２において、送信信号生成装置２は、ベースバンド部６と増幅部７とを含む。ベースバンド部６は、ベースバンド信号発生部８と、変調部９と、Ｄ／Ａ部１０と、Ａ／Ｄ部１５と、比較制御部１６と、Ｄ／Ａ部１７とを含む。増幅部７は、可変利得部としての可変減衰器１１と、フィルタ１８と、増幅器１２と、カプラ１３と、検波器１４とを含む。
【００５８】
ベースバンド信号発生部８は、パイロットチャネル、制御チャネル、通話チャネル等の複数の送信データＳ１６を合成したベースバンド信号Ｓ２を生成し、、生成したベースバンド信号Ｓ２を出力する。また、ベースバンド信号発生部８は、ベースバンド信号Ｓ２の振幅を示すベースバンド振幅データＳ８を生成し、生成したベースバンド振幅データＳ８を出力する。なお、ベースバンド信号発生部８は、ベースバンド信号Ｓ２において信号が存在している部分の振幅（例えば、ベースバンド信号Ｓ２が高振幅の信号と低振幅の信号とを含むバースト信号である場合には、高振幅の信号の振幅）をベースバンド振幅データＳ８として出力する。
【００５９】
変調部９は、ベースバンド信号Ｓ２を入力とし、ベースバンド信号Ｓ２に応じて変調された変調信号Ｓ３を出力する。
【００６０】
Ｄ／Ａ部１０は、変調信号Ｓ３を入力とし、変調信号Ｓ３に対してデジタル−アナログ変換を行い、デジタル−アナログ変換した変調信号Ｓ３を無線信号Ｓ４として出力する。
【００６１】
可変減衰器１１は、無線信号Ｓ４を入力とし、Ｄ／Ａ部１７からの制御電圧Ｓ１０に基づいて無線信号Ｓ４の振幅（レベル）の減衰量を可変する。さらに言えば、可変減衰器１１は、Ｄ／Ａ部１７からの制御電圧Ｓ１０に基づいて利得が制御される。
【００６２】
フィルタ１８は、可変減衰器１１によって信号レベル（振幅）が調整された無線信号Ｓ４の妨害波成分を減衰させる。
【００６３】
増幅器１２は、フィルタ１８によって妨害波が減衰された無線信号Ｓ４のレベルを、送信増幅装置３の入力レベルまで増幅し、増幅した無線信号Ｓ４を送信信号Ｓ５として出力する。
【００６４】
カプラ１３は、送信信号Ｓ５を送信増幅装置３と検波器１４とに出力する。
【００６５】
検波器１４は、カプラ１３から供給された送信信号Ｓ５を入力とし、カプラ１３から供給された送信信号Ｓ５の電力（レベル）を検出し、検出した電力を示した検波電圧Ｓ６を出力する。検波器１４は、例えば、ダイオードとコンデンサを含み、送信信号Ｓ５の送信電力の値（レベル）を平均化した値を検波電圧Ｓ６として出力する。
【００６６】
Ａ／Ｄ部１５は、検波電圧Ｓ６を入力とし、検波電圧Ｓ６に対してアナログーデジタル変換を行い、アナログーデジタル変換した検波電圧Ｓ６を送信電力データＳ７として出力する。
【００６７】
制御部としての比較制御部１６は、送信電力データＳ７とベースバンド振幅データＳ８との割合が所定の範囲に収まるように、可変減衰器１１の利得を制御する。
【００６８】
具体的には、比較制御部１６は、まず、送信電力データＳ７とベースバンド振幅データＳ８のそれぞれを電力値に変換する。その後、比較制御部１６は、電力値に変換したそれぞれのデータが一致するようにするための制御信号Ｓ９を出力する。
【００６９】
Ｄ／Ａ部１７は、制御信号Ｓ９を入力とし、制御信号Ｓ９に対してデジタル−アナログ変換を行い、デジタル−アナログ変換した制御信号Ｓ９を制御電圧Ｓ１０として可変減衰器１１に出力する。よって、可変減衰器１１の利得は、比較制御部１６によって制御される。
【００７０】
また、比較制御部１６は、送信電力データＳ７とベースバンド振幅データＳ８とに基づいて送信信号Ｓ５がバースト信号であるか否かを判定する。比較制御部１６は、送信信号Ｓ５がバースト信号であると判定した際には、可変減衰器１１の利得を固定する。
【００７１】
図３は、比較制御部１６の一例を示したブロック図である。
【００７２】
図３において、比較制御部１６は、比較器２０と、メモリＡ２１と、メモリＢ２２と、制御器２３と、温度センサ２４とを含む。
【００７３】
比較器２０は、ベースバンド振幅データ変換テーブルと送信電力データ変換テーブルとを格納している。
【００７４】
図４は、ベースバンド振幅データ変換テーブルの一例を示した説明図である。図４において、ベースバンド振幅データ変換テーブル２０ａは、ベースバンド振幅データ２０ａ１と、電力値としての変換値（ｄＢｍ）２０ａ２とを関連づけて記録している。
【００７５】
図５は、送信電力データ変換テーブルの一例を示した説明図である。図５において、送信電力データ変換テーブル２０ｂは、検波電圧（Ｖ）２０ｂ１と、送信電力データ２０ｂ２と、電力値としての変換値（ｄＢｍ）２０ｂ３とを関連づけて記録している。
【００７６】
図３に戻って、比較器２０は、送信電力データＳ７とベースバンド振幅データＳ８を入力とする。
【００７７】
比較器２０は、送信電力データＳ７が入力されると、入力した送信電力データＳ７を、送信電力データ変換テーブル２０ｂにおいて入力された送信電力データＳ７の値と関連づけられている変換値に変換する。例えば、比較器２０は、送信電力データＳ７の値が“Ｄ”だった場合、送信電力データ変換テーブル２０ｂに基づいて送信電力データ“Ｄ”を電力値４０ｄＢｍに変換する。
【００７８】
また、比較器２０は、ベースバンド振幅データＳ８が入力されると、入力したベースバンド振幅データＳ８を、ベースバンド振幅データ変換テーブル２０ａにおいて入力されたベースバンド振幅データＳ８の値と関連づけられている変換値に変換する。例えば、比較器２０は、ベースバンド振幅データＳ８の値が“Ｄ”だった場合、ベースバンド振幅データ変換テーブル２０ａに基づいてベースバンド振幅データ“Ｄ”を電力値４０ｄＢｍに変換する。
【００７９】
比較器２０は、ベースバンド振幅データＳ８を変換した変換値から送信電力データＳ７を変換した変換値を差し引いた値を比較データＳ１１として出力する。
【００８０】
なお、比較器２０は、温度センサ２４から供給される温度データＳ１５に基づいて送信電力データＳ７を補正することが望ましい。
【００８１】
第１の格納部としてのメモリＡ２１は、比較器２０から出力される比較データＳ１１を所定の期間の間保持し、保持した比較データＳ１１をメモリＡデータＳ１２として制御器２３に出力する。
【００８２】
また、メモリＡ２１は、比較データＳ１１の蓄積がメモリＡ２１の容量以上になった場合、蓄積した比較データＳ１１を古い順にメモリＢ２２に出力し、メモリＢ２２に出力された比較データＳ１１が記録されていた領域に、新たな比較データＳ１１を蓄積していく。
【００８３】
また、メモリＡ２１は、制御器２３から出力される消去信号Ｓ１４が入力された場合、メモリＡデータＳ１２を消去する。
【００８４】
第２の格納部としてのメモリＢ２２は、メモリＡ２１から供給された比較データＳ１１を保持し、保持した比較データＳ１１をメモリＢデータＳ１３として制御器２３に出力する。
【００８５】
また、メモリＢ２２は、比較データＳ１１の蓄積がメモリＢ２２の容量以上になった場合、蓄積した比較データＳ１１を古い順に廃棄していく。
【００８６】
なお、メモリＢ２２は、メモリＡ２１より大きい容量を持つことが望ましい。
【００８７】
図６は、メモリＡ２１およびメモリＢ２２の一例を示した説明図である。なお、図６において、図３に示したものと同一のものには同一符号を付してある。
【００８８】
図６において、メモリＡ２１は、番号１から番号５で示した５個の蓄積領域を有している。また、メモリＢ２２は、番号６から番号１５で示した１０個の蓄積領域を有している。なお、メモリＡ２１が有する蓄積領域の数は、５個に限らず適宜変更可能である。また、メモリＢ２２が有する蓄積領域の数は、１０個に限らず適宜変更可である。
【００８９】
図３に戻って、温度センサ２４は、増幅部７の温度を監視し、増幅部７の温度を示す温度データＳ１５を比較器２０に出力する。
【００９０】
制御器２３は、メモリＡデータＳ１２とメモリＢデータＳ１３のそれぞれの平均値を算出する。
【００９１】
制御器２３は、メモリＡデータＳ１２の平均値とメモリＢデータＳ１３の平均値との差が予め定めたしきい値以内の場合、送信信号Ｓ５がバースト信号ではないと判断し、メモリＢデータＳ１３の平均値を制御信号Ｓ９としてＤ／Ａ部１７に出力する。
【００９２】
制御器２３は、メモリＡデータＳ１２の平均値とメモリＢデータＳ１３の平均値との差が予め定めたしきい値以上の場合、送信信号Ｓ５がバースト信号であると判断し、メモリＡ２１に消去信号Ｓ１４を出力し、メモリＡ２１に記録された比較データＳ１１を消去する。
【００９３】
メモリＡ２１に記録された比較データＳ１１が消去されることによって、メモリＢ２２には、メモリＡ２１から比較データＳ１１が供給されなくなり、メモリＢ２２に記録されている比較データＳ１１は保持される。制御器２３は、メモリＡデータＳ１２の平均値とメモリＢデータＳ１３の平均値との差が予め定めたしきい値以上の場合、メモリＢデータＳ１３の平均値を制御信号Ｓ６としてＤ／Ａ部１７に出力する。
【００９４】
次に、本実施例の概要を説明する。
【００９５】
基地局無線装置１が行う自動利得制御機能は、増幅器１２およびフィルタ１８の経年変化および温度変化に応じて比較制御部１６が可変減衰部１１の利得を補正することによって、増幅部７の入力と増幅部７の出力との差（割合）が一定の範囲に収まるようにする機能である。具体的には、比較制御部１６は、ベースバンド振幅データＳ８と検波部１４の検波電圧Ｓ６に応じた送信電力データＳ７とを比較し、その比較結果に応じて可変減衰器１１の利得を制御する。
【００９６】
基地局無線装置１が送信信号として非バースト信号（例えば、連続送信時の送信信号）を出力している場合、検波器１４の検波電圧Ｓ６は、ベースバンド振幅データＳ８によって示されるベースバンド信号の振幅に対応した値となる。
【００９７】
したがって、基地局無線装置１が送信信号として非バースト信号を出力している場合、ベースバンド振幅データＳ８と検波部１４の検波電圧Ｓ６に応じた送信電力データＳ７との比率は、例えば通常数十〜数百ｍｓ単位の検出時間内での検出誤差（例えば±０．３ｄＢ程度のばらつき）は発生するが、一定の範囲内に収まる。
【００９８】
一方、基地局無線装置１が送信信号としてバースト信号を出力している場合（例えば、パケット通信時）、検波器１４の検波電圧Ｓ６は、ベースバンド振幅データＳ８によって示されるベースバンド信号の振幅に対応した値とならない可能性がある。その理由は、検波器１４が、送信信号に信号が存在するとき（高振幅の信号が存在するとき）の送信信号の電力と送信信号に信号が存在しないとき（信号オフのときまたは低振幅の信号が存在するとき）の送信信号の電力とを平均化した値を出力してしまうためである。
【００９９】
検波器１４の検波電圧Ｓ６がベースバンド振幅データＳ８によって示されるベースバンド信号の振幅に対応した値とならないということは、検波器１４が誤検出をしてしまうことを示す。
【０１００】
したがって、基地局無線装置１が送信信号としてバースト信号を出力している場合、検波器１４が誤検出してしまう可能性が高く、自動利得制御が正常に機能しなくなってしまう。
【０１０１】
本実施例では、比較制御部１６が、ベースバンド信号Ｓ２または送信信号Ｓ５がバースト信号か否かを判定し、ベースバンド信号Ｓ２または送信信号Ｓ５がバースト信号だった場合は、比較制御部１６が自動利得制御機能を停止する。このため、検波器１４の誤検出によって自動利得制御が誤作動してしまうことを防ぐことが可能になる。
【０１０２】
比較器２０は、ベースバンド振幅データＳ８と送信電力データＳ７とが入力されると、ベースバンド振幅データＳ８と送信電力データＳ７とのそれぞれの値を変換テーブルによって変換し、変換した値同士の差がゼロになるような比較データＳ１１を算出し、算出した比較データＳ１１をメモリＡ２１に出力する。
【０１０３】
メモリＡ２１は、複数の比較データＳ１１を一定期間蓄積し、蓄積している複数の比較データＳ１１を制御器２３にメモリＡデータＳ１２として出力する。
【０１０４】
メモリＢ２２は、メモリＡ２１から出力される複数の比較データＳ１１を一定期間蓄積し、蓄積している複数の比較データＳ１１を制御器２３にメモリＢデータＳ１３として出力する。
【０１０５】
制御器２３は、メモリＡデータＳ１２とメモリＢデータＳ１３のそれぞれの平均を算出し、算出した平均の差が閾値内の場合、ベースバンド信号Ｓ２および送信信号Ｓ５は非バースト信号であると決定し、メモリＢデータＳ１３の平均値を制御信号Ｓ９とする。Ｄ／Ａ部１７は、制御器２３から出力された制御信号Ｓ９をＤ／Ａ変換し、Ｄ／Ａ変換した制御信号を制御電圧Ｓ１０として可変減衰器１１に出力する。
【０１０６】
制御器２３は、メモリＡデータＳ１２とメモリＢデータＳ１３とのそれぞれの平均の差が閾値を外れている場合、ベースバンド信号Ｓ２および送信信号Ｓ５はバースト信号であると決定し、メモリＢデータＳ１３の平均値を制御信号Ｓ９とする。
【０１０７】
ベースバンド信号Ｓ２および送信信号Ｓ５がバースト信号になった場合、検波器１４の誤検出により、誤った検波電圧Ｓ６が出力され、デジタル変換された送信電力データＳ７も誤ってしまう。
【０１０８】
送信電力データＳ７が誤っている場合、可変減衰器１１の利得が、誤った送信電力データＳ７に基づいて決定された利得に固定されてしまうと、自動利得制御が誤動作してしまう。
【０１０９】
本実施例では、制御器２３がメモリＡデータＳ１２とメモリＢデータＳ１３の平均を算出し、その平均の差が閾値外の値になっていることを検出した場合、ベースバンド信号Ｓ２および送信信号Ｓ５がバースト状態にある（バースト信号）と判定し、バースト信号が出力されている間に比較器２０が出力した比較データＳ１１を消去信号Ｓ１４を用いてメモリＡ２１から消去する。その結果、メモリＢ２２内の比較データＳ１１は、バースト信号発生時の比較データＳ１１に更新されなくなり、メモリＢデータＳ１３が連続信号送信状態のときの比較データＳ１１を保持した状態で自動利得制御を停止することができる。
【０１１０】
次に、動作を説明する。
【０１１１】
以下、基地局無線装置１からの送信信号Ｓ５が、連続信号である場合の動作と、バースト信号（間欠信号）である場合の動作とを分けて説明する。
【０１１２】
まず、基地局無線装置１からの送信信号Ｓ５が、連続信号である場合の動作を説明する。
【０１１３】
ベースバンド信号発生部８は、ベースバンド信号発生部８で生成されたベースバンド信号Ｓ２の振幅を表すベースバンド振幅データＳ８を比較制御部１６の比較器２０に入力する。
【０１１４】
比較器２０は、ベースバンド信号発生部８から供給されるベースバンド振幅データＳ８を、ベースバンド振幅データ変換テーブル２０ａに基づいて電力値に変換する。
【０１１５】
一方、検波器１４は、可変減衰器１１、フィルタ１８および増幅器１２のアナログ回路を通過することによって生成される送信信号Ｓ５の電力（レベル）を検出し、検出した電力を検波電圧Ｓ６として出力する。
【０１１６】
Ａ／Ｄ部１５は、検波電圧Ｓ６をアナログ−デジタル変換し、アナログ−デジタル変換した検波電圧Ｓ６を送信電力データＳ７として比較制御部１６の比較器２０に供給する。
【０１１７】
比較器２０は、Ａ／Ｄ部１５から供給された送信電力データＳ７を、送信電力データ変換テーブル２０ｂに基づいて電力値に変換する。
【０１１８】
比較器２０は、ベースバンド振幅データＳ８から変換された電力値と、送信電力データＳ７から変換された電力値とを比較し、比較した電力値同士の差を比較データＳ１１として出力する。
【０１１９】
例えば、ベースバンド振幅データＳ８から変換された電力値が４０ｄＢｍであり、送信電力データＳ７から変換された電力値が４０ｄＢｍである場合、比較器２０は、比較データＳ１１としてゼロ「０」を出力する。
【０１２０】
また、例えば、ベースバンド振幅データＳ８から変換された電力値が４０ｄＢｍであるときに、送信電力データＳ７から変換された電力値が３９ｄＢｍ（送信電力データＳ７＝“Ｅ”の場合）である場合には、比較器２０は、（ベースバンド振幅データ：４０ｄＢｍ）−（送信電力データ：３９ｄＢｍ）の演算結果である１ｄＢｍを比較データＳ１１として出力する。
【０１２１】
比較器２０から出力された比較データＳ１１は、メモリＡ２１に蓄積される。また、メモリＡ２１に蓄積された比較データＳ１１は、その後、メモリＢ２２に転送され、メモリＢ２２に蓄積される。
【０１２２】
本実施例では、比較器２０から出力された比較データＳ１１は、まず、メモリＡ２１の番号１の蓄積領域に蓄積される。
【０１２３】
次の比較データＳ１１がメモリＡ２１に入力されると、メモリＡ２１の番号１の蓄積領域に蓄積されていた比較データＳ１１はメモリＡ２１の番号２の蓄積領域にシフトされ、メモリＡ２１に入力された比較データＳ１１がメモリＡ２１の番号１の蓄積領域に蓄積される。以降、比較データＳ１１がメモリＡ２１に入力されるごとに、比較データＳ１１がメモリＡ２１の番号の大きい蓄積領域側にシフトされていく。
【０１２４】
メモリＡ２１の番号５の蓄積領域に蓄積された比較データＳ１１は、比較データＳ１１がメモリＡ２１に入力されると、メモリＢ２２の番号６の蓄積領域にシフトされる。メモリＢ２２では、比較データＳ１１がメモリＡ２１に入力されるごとに、比較データＳ１１がメモリＢ２２の番号の大きい蓄積領域側にシフトされていく。
【０１２５】
なお、メモリＢ２２の番号１５の蓄積領域に蓄積された比較データＳ１１は、比較データＳ１１がメモリＡ２１に入力されると廃棄される。
【０１２６】
図７は、比較データＳ１１がメモリＡ２１に０００１１−１−１０００−１１０１０の順で入力された場合のメモリＡ２１における比較データＳ１１の蓄積例を示した説明図である。
【０１２７】
図８は、比較データＳ１１がメモリＡ２１に０００１１−１−１０００−１１０１０の順で入力された場合のメモリＢ２２における比較データＳ１１の蓄積例を示した説明図である。
【０１２８】
メモリＡ２１は、自己に蓄積された比較データＳ１１のすべてを含むデータをメモリＡデータＳ１２として制御器２３に出力する。制御器２３は、メモリＡデータＳ１２に含まれている比較データＳ１１の平均値を算出する。
【０１２９】
また、メモリＢ２２は、自己に蓄積された比較データＳ１１のすべてを含むデータをメモリＢデータＳ１３として制御器２３に出力する。制御器２３は、メモリＢデータＳ１３に含まれている比較データＳ１１の平均値を算出する。
【０１３０】
制御器２３は、メモリＡデータＳ１２の平均値とメモリＢデータＳ１３の平均値との差を算出する。
【０１３１】
例えば、図７と図８に示した例では、メモリＡデータＳ１２の平均は０（例えば、小数点以下切捨て）で、メモリＢデータＳ１３の平均は０であり、これらの差は０となる。
【０１３２】
仮に、送信信号Ｓ５がバースト信号であるか否かを決定するための閾値が絶対値で２ｄＢであるとすると、差の値である０は閾値内であるため、制御器２３は、送信信号Ｓ５は非バースト信号であると決定し、メモリＢデータＳ１３の平均値０を制御信号Ｓ９として出力する。
【０１３３】
その後、制御器２３は、新たなメモリＡデータＳ１２および新たなメモリＢデータＳ１３とを新たに取り込み、新たに取り込んだメモリＡデータＳ１２およびメモリＢデータＳ１３に基づいて上記比較判定動作を繰り返す。
【０１３４】
次に、基地局無線装置１からの送信信号Ｓ５が、バースト信号である場合の動作を説明する。
【０１３５】
なお、基地局無線装置１の送信信号Ｓ５が連続送信に対応した信号であって、ベースバンド振幅データＳ８と送信電力データＳ７とが４０ｄＢｍ近辺で制御されていたとし、この状態から送信信号Ｓ５がバースト状の信号（バースト信号）に移行したとする。
【０１３６】
ベースバンド信号発生部８は、ベースバンド信号Ｓ２の振幅値を表すベースバンド振幅データＳ８を比較制御部１６の比較器２０に入力する。
【０１３７】
比較器２０は、例えば、ベースバンド振幅データＳ８の値が“Ｄ”だった場合、図４に示したベースバンド変換テーブル２０ａに基づいてベースバンド振幅データ“Ｄ”を電力値４０ｄＢｍに変換する。
【０１３８】
一方、検波器１４は、検波器１４に入力される信号がバースト信号であるため、例えば図１５に示したように検波カーブが連続送信信号のときの検波カーブに比べてずれてしまい、誤検出してしまう。
【０１３９】
例えば、図１５において、検波器１４が連続送信の４０ｄＢｍを入力した場合、検波器１４は検波電圧Ｓ６として３．５Ｖを出力する（図１５のＸ参照）。Ａ／Ｄ部１５は、検波電圧Ｓ６（３．５Ｖ）をアナログ−デジタル変換し、アナログ−デジタル変換した検波電圧Ｓ６（３．５Ｖ）を送信電力データＳ７（Ｄ）として出力する。比較器２０は、送信電力データＳ７（Ｄ）を送信電力データ変換テーブル２０ａを用いて電力値４０ｄＢｍに変換する。
【０１４０】
しかしながら、検波器１４がバースト信号の４０ｄＢｍを入力した場合、検波器１４は誤検出し、検波電圧Ｓ６として２Ｖを出力してしまう。Ａ／Ｄ部１５は、検波電圧Ｓ６（２Ｖ）をアナログ−デジタル変換し、アナログ−デジタル変換した検波電圧Ｓ６（２Ｖ）を送信電力データＳ７（Ｇ）として出力する。比較器２０は、送信電力データＳ７（Ｇ）を送信電力データ変換テーブル２０ａを用いて電力値３７ｄＢｍに変換してしまう。
【０１４１】
比較器２０は、（ベースバンド振幅データ：４０ｄＢｍ）−（送信電力データ：３７ｄＢｍ）＝３ｄＢという比較データＳ１１を発生する。
【０１４２】
図９は、比較器２０が比較データＳ１１として３ｄＢを出力したときの、メモリＡ２１とメモリＢ２２における比較データＳ１１の蓄積状態の一例を示した説明図である。なお、図９において、図６で示したものと同一のものには同一符号を付してある。
【０１４３】
なお、ノイズ等により偶然検波電圧Ｓ６が高く検出され、送信電力データＳ７が一時的に高くなったてもメモリＡデータＳ１２の平均がその影響をあまり受けないように、メモリＡ２１の容量は決定されることが望ましい。また、メモリＢ２２は、偶然検波電圧Ｓ６が高く検出されてもメモリＢデータＳ１３の平均がその影響をあまり受けないように、充分大きい容量を持つことが望ましい。本実施例では、メモリＡ２１の容量を５、メモリＢ２２の容量を１０としている。
【０１４４】
例えが、バースト信号が５回連続し、メモリＡデータＳ１２とメモリＢデータＳ１３の平均の差が閾値外となった場合、制御器２３は、メモリＡ２１に対して消去信号Ｓ１４を出力し、メモリＡデータＳ１２を消去する。
【０１４５】
図１０は、バースト信号が５回連続し、メモリＡデータＳ１２とメモリＢデータＳ１３の平均の差が閾値外となった場合に、メモリＡデータＳ１２が消去された状態の一例を示した説明図である。なお、図１０において、図６で示したものと同一のものには同一符号を付してある。
【０１４６】
本実施例では、閾値外の比較データＳ１１、換言すると、バースト信号の影響を受けた比較データＳ１１が消去されるので、可変減衰器１１の利得（減衰量）を固定するために用いられる比較データＳ１１としてバースト信号の影響を受けた比較データＳ１１が使用されなくなり、制御信号Ｓ９をバースト信号の影響を受けていない値に固定することが可能となる。
【０１４７】
制御器２３は、消去信号Ｓ１４によってメモリＡデータＳ１２を消去した後、比較器２０から出力される比較データＳ１１を再度メモリＡ２１に記録していく。
【０１４８】
制御部２３が再度メモリＡ２１に比較データＳ１１を記録していった際に、図１１に示すように、再び、バースト信号が５回連続し、メモリＡデータＳ１２とメモリＢデータＳ１３の平均の差が閾値外となった場合、制御部２３は再び消去信号Ｓ１４を出力してメモリＡデータＳ１２を消去する。
【０１４９】
制御部２３が再度メモリＡ２１に比較データＳ１１を記録していった際に、図１２に示すように、メモリＡデータＳ１２とメモリＢデータＳ１３のそれぞれの平均の差が閾値内となった場合、制御器２３は、比較器２０から比較データＳ１１が出力されると、メモリＡ２１に蓄積されている比較データＳ１１とメモリＢ２２に蓄積されている比較データＳ１１とを１つずつ更新する。
【０１５０】
本実施例では、送信信号Ｓ５がバースト信号であると決定された際には、可変減衰器１１の利得が固定されるので、検波器１４の誤検出に起因する可変減衰器１１の利得の異常を少なくすることが可能になる。
【０１５１】
また、送信信号がバースト信号であるか否かの判定は、検波部１４によって検出された送信信号Ｓ５のレベルとベースバンド信号発生部８によって生成されたベースバンド信号のレベルとに基づいて行われる。検波部１４によって検出された送信信号のレベルとベースバンド信号発生部８によって生成されたベースバンド信号のレベルとは、可変減衰部１１の利得を制御する際に用いられる情報である。このため、可変減衰部１１の利得を制御する際に用いる情報を、送信信号Ｓ５がバースト信号であるか否かの判定を行う際にも用いることができ、情報の兼用化が図れる。
【０１５２】
また、可変減衰器１１の利得は、検波部１４によって検出された送信信号Ｓ５のレベルとベースバンド信号発生部８によって生成されたベースバンド信号のレベルとに基づいて制御される。このため、可変減衰器１１への入力信号（バースト信号）を検波するための入力検波回路を用いる必要性がなく、構成の簡略化が図れる。また、自動利得制御回路の制御利得を行うためのＡＧＣ用プリアンブル信号を用いていないので、ＡＧＣ用プリアンブル信号を検出するための構成を用いる必要性がなく、構成の簡略化が図れる。
【０１５３】
また、比較制御部１６が温度センサ２４を持ち、さらに、比較器２０が図１５に示したような温度補正値変換テーブル２０ｃを有し、比較器２０が、温度補正値変換テーブル２０ｃに基いて温度センサ２４によって検出された温度に応じて送信電力データＳ７の変換値を調整し、調整された送信電力データＳ７の変換値とベースバンド振幅データＳ８の変換値とに基づいて送信信号Ｓ５がバースト信号であるか否かを判定するようにしてもよい。この場合、送信電力データＳ７の温度による変化を補正することが可能となり、制御器２３の制御の精度を向上させることが可能となる。
【０１５４】
また、温度センサ２４によって検出された温度に応じて送信電力データＳ７の変換値を調整することによって、送信電力データＳ７の温度変動と、バースト信号による検波器１４の誤検出による送信電力データＳ７の変動とを区別することが可能となる。
【０１５５】
例えば、温度センサ２４が増幅部７の温度が４５℃だった際に、増幅器７の利得が設計値に対して−１ｄＢとなるような場合、送信電力データＳ７も−１ｄＢ変動してしまう。このとき、送信信号Ｓ５としてバースト信号が送信されていても、例えば、ベースバンド振幅データＳ８の変換値が４０ｄＢｍ、送信電力データＳ７の変換値が４１ｄＢｍとなる可能性が生じる。この場合、温度補正が実行されないと、比較データＳ１１は１ｄＢとなり、制御器２３は、送信信号Ｓ５はバースト信号でないという誤った判定を行ってしまう可能性がある。
【０１５６】
一方、比較制御器１６が温度補正を行うと、図１３に示した温度補正値変換テーブル２０ｃに基いて補正値−１ｄＢが求められ、送信電力データＳ７の変換値は、送信電力データＳ７の変換値４１ｄＢｍから４２ｄＢｍへと補正される。よって、比較器２０が出力する比較データＳ１１は２ｄＢとなり、バースト信号か否かを判定するためのしきい値が１ｄＢの場合、制御器２３は、検波器１４の誤検出が発生していると判断可能となり、自動利得制御の値を保持することにより通信システムの安定性を保持することが可能となる。
【０１５７】
以上説明した実施例において、図示した構成は単なる一例であって、本発明はその構成に限定されるものではない。
【図面の簡単な説明】
【０１５８】
【図１】本発明の一実施例の無線基地局を示したブロック図である。
【図２】本発明の一実施例の送信信号生成装置を示したブロック図である。
【図３】図２に示した比較制御部の一例を示したブロック図である。
【図４】ベースバンド振幅データ変換テーブルの一例を示した説明図である。
【図５】送信電力データ変換テーブルの一例を示した説明図である。
【図６】図３に示したメモリＡおよびメモリＢの一例を示したブロック図である。
【図７】メモリＡによる比較データの蓄積の一例を示した説明図である。
【図８】メモリＢによる比較データの蓄積の一例を示した説明図である。
【図９】メモリＡおよびメモリＢによる比較データの蓄積の一例を示した説明図である。
【図１０】メモリＡおよびメモリＢによる比較データの蓄積の一例を示した説明図である。
【図１１】メモリＡおよびメモリＢによる比較データの蓄積の一例を示した説明図である。
【図１２】メモリＡおよびメモリＢによる比較データの蓄積の一例を示した説明図である。
【図１３】温度補正値変換テーブルの一例を示した説明図である。
【図１４】移動体通信システムを示したブロック図である。
【図１５】検波器の入出力特性を示した説明図である。
【符号の説明】
【０１５９】
１      基地局無線装置
２      送信信号生成装置
３      送信増幅装置
４      アンテナ
５      移動端末局
６      ベースバンド部
７      増幅部
８      ベースバンド信号発生部
９      変調部
１０      Ｄ／Ａ部
１１      可変減衰器
１２      増幅部
１３      カプラ
１４      検波器
１５      Ａ／Ｄ部
１６      比較制御部
１７      Ｄ／Ａ部
１８      フィルタ
２０      比較器
２１      メモリＡ
２２      メモリＢ
２３      制御器
２４      温度センサ
【図１】
2005236766.tif 000003
【図２】
2005236766.tif 000004
【図３】
2005236766.tif 000005
【図４】
2005236766.tif 000006
【図５】
2005236766.tif 000007
【図６】
2005236766.tif 000008
【図７】
2005236766.tif 000009
【図８】
2005236766.tif 000010
【図９】
2005236766.tif 000011
【図１０】
2005236766.tif 000012
【図１１】
2005236766.tif 000013
【図１２】
2005236766.tif 000014
【図１３】
2005236766.tif 000015
【図１４】
2005236766.tif 000016
【図１５】
2005236766.tif 000017